(57)【要約】【課題】分析に要する機器や部材を収納する筐体と、この筐体の開口部を閉塞する扉とを備えた分析計において、試薬容器を、操作しやすくかつ試薬残量が確認しやすい場所に設置した分析計を提供する。【解決手段】扉１６の内側に試薬容器設置場所３０、３４を設け、ここに試薬容器３２、３６を設置する。【選択図】        図１
2004150987.tif 000002
【特許請求の範囲】
【請求項１】
筐体と、この筐体の開口部を閉塞する扉とを備えた分析計において、前記扉の内側に試薬容器設置場所を設け、該試薬容器設置場所に試薬容器を設置したことを特徴とする分析計。
【請求項２】
前記試薬容器設置場所は、垂直な背面および水平な底面を有し、かつ、前記底面の前端部に複数の垂直な正面板が所定間隔離間して連結されたものであり、試薬容器を背面板と正面板との間に配して底面板の上に載せたときに、隣り合う一対の正面板の間から試薬容器を下端部まで見ることができるものであることを特徴とする請求項１に記載の分析計。
【請求項３】
前記試薬容器設置場所は、円柱形の試薬容器を、その周壁の一部が隣り合う一対の正面板の間から前方に突出するように背面と正面板との間に配して底面の上に載せるものであることを特徴とする請求項２に記載の分析計。
【請求項４】
前記試薬容器設置場所は、複数の円柱形の試薬容器を設置するものであり、かつ、複数の円柱形の試薬容器を設置したときに、隣り合う試薬容器の周壁同士が接触するものであることを特徴とする請求項３に記載の分析計。
【請求項５】
試薬容器設置場所に設置した試薬容器を、外部から下端部まで見ることができる貫通スリットを扉に形成したことを特徴とする請求項１〜４のいずれか１項に記載の分析計。
【請求項６】
前記試薬容器設置場所は、複数の試薬容器を設置するものであり、かつ、各試薬容器に取り付けられた複数本の試薬パイプを束ねるとともに、この束ねた試薬パイプを、筐体と扉との連結部の近傍を通して扉から筐体に引き込んでなることを特徴とする請求項１〜５のいずれか１項に記載の分析計。
【発明の詳細な説明】
【０００１】
【発明の属する技術分野】
本発明は、分析に要する機器や部材を収納する筐体と、この筐体の開口部を閉塞する扉とを備えた分析計に関し、さらに詳述すると、試薬容器の設置場所に特徴を有する分析計に関する。
【０００２】
【従来の技術】
従来、分析計として、図８に示すように、筐体１０２と、該筐体の前側開口部１０４を閉塞する扉１０６とを備え、筐体の内部に種々の分析用機器や分析用部材１０８、例えばポンプ、ヒータ、反応槽、測定セル、操作盤等を設置したものがある。このような筐体および扉を備えた分析計において、分析に試薬を使用する場合、試薬容器１１０は筐体内の下部に置かれることが多い（例えば、特許文献１参照）。
【０００３】
【特許文献１】
特開平６−２０１５８７号公報
【０００４】
【発明が解決しようとする課題】
試薬を使用する分析計において、試薬容器は操作しやすい場所や試薬残量を確認しやすい場所に置くことが望ましい。しかし、分析用機器や分析用部材を収納する筐体を備えた分析計では、分析用機器や分析用部材を筐体内のどこに設置するかを最優先で考慮するため、試薬容器は必ずしも操作しやすい場所や試薬残量を確認しやすい場所には設置されないものであった。その結果、試薬容器は前述のように筐体内の下部に置かれることが多くなり、この場合には試薬容器を操作しやすい場所や試薬残量を確認しやすい場所に設置しているとは言えなかった。
【０００５】
本発明は、前述した事情に鑑みてなされたもので、筐体と、この筐体の開口部を閉塞する扉とを備えた分析計において、試薬容器を、操作しやすくかつ試薬残量が確認しやすい場所に設置した分析計を提供することを目的とする。
【０００６】
【課題を解決するための手段】
本発明は、前記目的を達成するため、筐体と、この筐体の開口部を閉塞する扉とを備えた分析計において、前記扉の内側に試薬容器設置場所を設け、該試薬容器設置場所に試薬容器を設置したことを特徴とする分析計を提供する。
【０００７】
本発明の分析計は、扉の内側に試薬容器設置場所を設け、ここに試薬容器を設置したので、扉を開けて試薬容器を容易に操作したり、扉を開けて試薬容器内の試薬残量を容易に確認したりすることができる。
【０００８】
【発明の実施の形態】
次に、添付図面を参照して本発明の実施の形態を説明する。図１は本発明に係る分析計の一例を示すもので、扉を開けた状態の簡略化した正面図である。本例の分析計は、筐体１２と、筐体１２の前側開口部１４を閉塞する扉１６（本例では片開きであるが、両開きでもよい）とを備えている。また、扉１６は、それぞれ別個に開閉する上側扉１６Ａと下側扉１６Ｂとに分割され、筐体１２の内部は、上側扉１６Ａによって閉塞される上側空間部１２Ａと、下側扉１６Ｂによって閉塞される下側空間部１２Ｂとに分割されている。
【０００９】
筐体１２の上側空間部１２Ａには、種々の分析用機器や分析用部材１８、例えば配管、ポンプ、試薬計量ユニット、試料計量器、加熱分解器、反応槽、測定セル、検出器、プリンタ、操作部等が設置され、筐体１２の下側空間部１２Ｂには、純水タンク４０および廃液タンク４２が設置されている。また、上側扉１６Ａの内側には試薬容器設置場所３０が設けられ、この試薬容器設置場所３０に複数の試薬容器３２が設置されている。さらに、下側扉１６Ｂの内側にも試薬容器設置場所３４が設けられ、この試薬容器設置場所３４に大型の一つの試薬容器３６が設置されている。
【００１０】
上側扉１６Ａの内側の試薬容器設置場所３０は、具体的には図２〜図５に示す構造を有している。図２は上側扉１６Ａの内側の正面図、図３は上側扉１６Ａの側面図、図４は図２Ｎ−Ｎ端面図、図５は試薬容器設置場所３０に試薬容器３２を収容した状態を示す簡略化した平面図である。試薬容器設置場所３０は、上側扉１６Ａの内側の上下２カ所に設けられている。これら試薬容器設置場所３０は、垂直な背面板４４および水平な底面板４６からなる断面略Ｌ字状体の底面板４６の前端部に、複数枚の垂直なほぼ長方形の正面板４８が所定間隔離間して連結されたポケット形のものであり、合成樹脂により一体成形され、背面板４４側が上側扉１６Ａの内側に取り付けられている。なお、背面板を省略し、上側扉１６Ａの内面を背面としてもよい。
【００１１】
本例のポケット形試薬容器設置場所３０は、円柱形の試薬容器を設置する場合に特に好適なもので、図５に示すように、円柱形の試薬容器３２を、その周壁の一部が隣り合う一対の正面板４８の間から前方に突出するように背面板４４と正面板４８との間に配し、この試薬容器３２を底面板４６の上に載せることにより、複数の試薬容器３２を安定に保持するものである。この場合、本例の試薬容器設置場所３０では、複数の正面板４８の間隔は、隣り合う試薬容器３２の周壁同士が接触するように設定されており、これによって複数の試薬容器３２をより安定に保持することができるようになっている。
【００１２】
下側扉１６Ｂの内側の試薬容器設置場所３４は、図示しないが、垂直な背面板、水平な底面板および垂直な正面板５０が一体に連結されたポケット形のものであり、合成樹脂により一体成形され、背面板側が下側扉１６Ｂの内側に取り付けられている。この試薬容器設置場所３４は、前述した上側扉１６Ａの内側の試薬容器設置場所３０とは異なり、垂直な正面板５０は、背面板および底面板と同じ幅を有する１枚のものである。
【００１３】
また、本例の分析計では、図１に示すように、試薬容器設置場所３０に設置された各試薬容器３２の蓋５２に取り付けられた複数本の試薬パイプ（内部を試薬が流れるパイプ）５４は、複数本を束ね用具（図示せず）によって束ねるとともに、図６に示すように、上記束ねた状態の試薬パイプ５６を、筐体１２と扉１６との連結ヒンジ部５８に近接した位置を通して筐体１２内に引き込んでいる。
【００１４】
本例の分析計は、下記の作用効果を奏する。
▲１▼扉１６の内側に試薬容器設置場所３０、３４を設け、ここに試薬容器３２、３６を設置したので、扉を開けて試薬容器を容易に操作したり、扉を開けて試薬容器内の試薬残量を容易に確認したりすることができる。
【００１５】
▲２▼試薬容器設置場所３０は、垂直な背面４４および水平な底面４６を有し、かつ、底面の前端部に複数の垂直な正面板４８が所定間隔離間して連結されたものであり、試薬容器３２を背面板と正面板との間に配して底面板の上に載せたときに、隣り合う一対の正面板の間６０（図２参照）から試薬容器を下端部まで見ることができるものであるため、試薬容器を透明あるいは半透明にすれば、上側扉１６Ａを開けて試薬容器を見るだけで、試薬容器内の試薬液の残量を容易に確認することができる。
【００１６】
▲３▼試薬容器設置場所３０は、円柱形の試薬容器３２を、その周壁の一部が隣り合う一対の正面板４８の間から前方に突出するように背面４４と正面板との間に配して底面４６の上に載せるものであるため、複数の試薬容器を安定に保持することができる。
【００１７】
▲４▼試薬容器設置場所３０は、複数の円柱形の試薬容器３２を設置するものであり、かつ、複数の円柱形の試薬容器を設置したときに、隣り合う試薬容器の周壁同士が接触するものであるため、複数の試薬容器をより安定に保持することができる。
【００１８】
▲５▼扉１６の内側に試薬容器設置場所３０、３４を設け、ここに試薬容器３２、３６を設置したので、図２、図７に示すように、試薬容器設置場所に設置した試薬容器を、外部から下端部まで見ることができる貫通スリット６２（１本のみ図示）を扉に形成すれば、扉を開けなくても、貫通スリットから試薬容器を見るだけで、試薬容器内の試薬液の残量６４を容易に確認することができる。
【００１９】
▲６▼本例の分析計では、試薬容器設置場所３０は、複数の試薬容器３２を設置するものであり、かつ、各試薬容器に取り付けられた複数本の試薬パイプ５４を束ねるとともに、この束ねた試薬パイプ５６を、筐体１２と扉１６との連結部５８の近傍を通して扉から筐体に引き込んでなるので、扉を開閉するときに試薬パイプに無理な力が加わらず、試薬パイプが破損するようなことがない。
【００２０】
本例の分析計は、試薬液を用いる種々の分析計に構成することができる。例えば、試料水にアルカリ性ペルオキソ二硫酸カリウムを加え、１２０℃付近で試料水中の所定成分を加熱分解し、次いで試料水のｐＨを調整した後、波長２２０ｎｍの吸光度を測定して試料水中の全窒素を定量する全窒素測定手段と、試料水にペルオキソ二硫酸カリウムを加え、１２０℃付近で試料水中の所定成分を加熱分解し、次いで試料水に発色試薬および還元試薬を添加した後、波長８８０ｎｍの吸光度を測定して試料水中の全りんを定量する全りん測定手段と、吸光度測定のための分光分析計とを具備する全窒素・全りん測定装置として構成することができる。この全窒素・全りん測定装置は、ＪＩＳ法に準拠して試料水中に含まれる全窒素および全りんの測定を行うことができるものである。
【００２１】
【発明の効果】
以上のように、本発明の分析計は、扉を開けて試薬容器を容易に操作したり、扉を開けて試薬容器内の試薬残量を容易に確認したりすることができる。
【図面の簡単な説明】
【図１】本発明に係る分析計の一例を示すもので、扉を開けた状態の簡略化した正面図である。
【図２】図１の分析計の上側扉１６Ａの内側の正面図である。
【図３】図１の分析計の上側扉１６Ａの側面図である。
【図４】図２Ｎ−Ｎ端面図である。
【図５】図１の分析計の試薬容器設置場所に試薬容器を収容した状態を示す簡略化した平面図である。
【図６】束ねた試薬パイプを筐体と扉との連結部の近傍を通して扉から筐体に引き込んでいる状態を示す図である。
【図７】扉に形成した貫通スリットを示す図である。
【図８】従来の分析計の一例を示すもので、扉を開けた状態の簡略化した正面図である。
【符号の説明】
１２    筐体
１２Ａ  上側空間部
１２Ｂ  下側空間部
１４    前側開口部
１６    扉
１６Ａ  上側扉
１６Ｂ  下側扉
１８  分析用機器、分析用部材
３０  試薬容器設置場所
３２  試薬容器
３４  試薬容器設置場所
３６  試薬容器
４４  背面板
４６  底面板
４８  正面板
５４  試薬パイプ
５６  束ねた試薬パイプ
５８  連結ヒンジ部
６０  隣り合う一対の正面板の間
６２  貫通スリット
【図１】
2004150987.tif 000003
【図２】
2004150987.tif 000004
【図３】
2004150987.tif 000005
【図４】
2004150987.tif 000006
【図５】
2004150987.tif 000007
【図６】
2004150987.tif 000008
【図７】
2004150987.tif 000009
【図８】
2004150987.tif 000010